(57)【要約】この膨張可能な玩具は、マイラー、ナイロン、ポリエステルあるいはポリプロピレンのフィルムで作られ、好ましくは金属被覆されている。この玩具は、長方形の区間を縦方向に折り曲げ、縦に熱を当てて封じられた長方形の区間と円錐形の尖端部を作り出す別の長方形の区間でできている。尖端部の反対側の端部から風船を膨らませると、尖端部は円錐形状になる。風船を膨らまし、尖端部が円錐形状になった後で、約３５ｋｇの圧力と重量に耐えるように、封じたラインを幅４８ｍｍの粘着テープで補強する。この補強は、金属被覆された面または金属被覆されていない面、あるいは両方の面に施される。またこの補強は、風船に圧力が加えられた時に、風船に満たされた流体が漏れるのを防止する。風船を膨らませるために流体を入れた端部をねじり、ぴんと張ったひもにして、それを風船の円筒形本体に密着した半円形状にして配置する。ひもの残りの部分を半円形の下に同心形状にして収めると前記のひもは完全に固定された状態になる。このように端部をぐるぐる巻くことで、風船に圧力が加わる。こうして固い塊となる基部ができあがり、この部分で風船はしっかりとバウンドする。この玩具は飛行し、滑空し、バウンドする。この玩具は繰り返し膨らませることができる。その円筒形の本体と円錐尖端部から、宇宙ロケットに似た形状を有し、その基部でしっかりとバウンドする。
2004520136.tif 000002
【特許請求の範囲】
【請求項１】
マイラー、ナイロン、ポリエステルあるいはポリプロピレンのフィルムで作られ、好ましくは金属被覆されている、宇宙ロケットの外観を持つ膨張可能な玩具であって、その端部のひとつが円錐形の尖端部を有する（流体が抜かれている時、この尖端部は対称的な三角形である）円筒形の本体を特徴とし、もう一方の端部は、そこから玩具が膨らまされ、ねじられ、こうして玩具を膨らますのに使用された流体に圧力がかかった状態が保たれる。その流線型ゆえに、玩具は飛んだり、滑空することができる膨張可能な玩具。
【請求項２】
円筒形本体に沿って、また円錐形尖端部において、熱で封がなされ、約３５ｋｇの重さに耐えるために、封じられたライン全体に幅４８ｍｍの粘着テープの細片で作られた補強物が取り付けられることを特徴とする、請求項１に記載の宇宙ロケットの外観を持つ膨張可能な玩具。
【請求項３】
尖端部の反対側に位置し、玩具が膨らまされる端部がねじられて、ぴんと張った固いひもになり、このひもで円筒形本体に密着した半円形が作られ、この半円形の下に、ぴんと張ったひもの残りの部分が同心形状で収められることを特徴とし、このようにして、玩具の基部が作られ、そこで玩具がしっかりとバウンドする、請求項１に記載の宇宙ロケットの外観を持つ膨張可能な玩具。
【請求項４】
請求項１に記載の膨張可能な玩具を製造するための方法であって、次の加工段階、すなわち
ａ）マイラー、ナイロン、ポリエステルあるいはポリプロピレンで作られ、できれば金属被覆されている、またはされていないフィルムの片面を、縦方向で半分に折り、この時、金属被覆されている面が外側へ、また金属被覆されていない面が内側へ来るようにする段階と、
ｂ）折り目を入れたフィルムの縁に熱を加えて縦方向に封し、それによって封じられたラインが生じ、封は、ニクロム線の熱用抵抗体を有するライン密封機を使用して行う段階と、
ｃ）封じられた長方形区間は、再度、縦方向に折り曲げられ、その端部の一方において斜線上に熱による第２の封を行い、それによって対称的な三角形の尖端部ができる段階であって、ここで、金属被覆された面が互いに封じられるわけではないことを考慮しておく必要があり、したがって、それらの面を開くことで、簡単に風船を最終形状にすることができ、また風船を吹くことで、対称的な三角先端部は円錐形に変化し、この時点で風船は、尖端部、円筒形本体、および膨らますための穴で構成される形状を持つ段階と、
ｄ）注意しながら風船を膨らませ、封じられたラインに粘着テープの細片（幅４８ｍｍ）を、このラインを中心にして貼り付ける段階であって、この時、気泡やしわが残らないようにする必要があり、封じられたラインの厚さが１〜２ｍｍであれば、粘着テープの貼り付けは風船の外部で行うのが望ましく、この数値を超える厚さであれば、靴下のように風船を裏返し、封じられた継ぎ目に粘着テープの細片を、ラインを中心にして、また平らに粘着するように貼り付け、封じられたラインが分厚い、つまりひれ状である場合は、元の外観にするため再度、靴下のように裏返し、粘着テープの細片は、風船が約３５ｋｇの圧力や重さに耐えるための、また風船を膨らませるために入れた流体が、封じられたライン、つまり継ぎ目から漏れないようにするための補強として取り付けられ、補強粘着テープの細片の貼り付けは、封じられたラインの両側（内側と外側）に施してもよい段階と、
ｅ）風船を膨らませるために、エア入り口の穴から約３０ｃｍ離れた場所からエアを吹き込む段階であって、（高さが１．６０ｍ、直径が２４ｃｍの玩具の場合、）風船を縦方向に引き伸ばすことで、１回の吹き込みでエアを満たすことができ、風船には別の流体を満たすこともでき、それから風船を、エアを吹き込んだ部分で手のひらに取り、ぴんと張ったひもになるまでねじり、このようにねじることで、風船に圧力が生まれ、これは、端部をねじって風船が回転すると、風船の長さが短くなるからであり、風船本体のこの圧力は、ぴんと張ったひもで風船に密着した半円形を作り、ひもの残りの部分をこの半円形の下に同心形状で収めて、動かなくし、固定された状態にするために不可欠であり、このようにひもを収納することで固い塊ができあがり、これが玩具の基部となり、この部分で風船はしっかりとバウンドすることができる段階と、
を有することを特徴とする玩具。
【発明の詳細な説明】
【技術分野】
【０００１】
本発明は、風に乗せて飛ばしたり、キャッチして遊ぶのに向いている半使い捨ての膨張可能な玩具に関するものである。この玩具は飛行し、滑空し、バウンドする。衝撃と圧力に耐え、水中に沈めることもできるこの玩具は、マイラー、ナイロン、ポリエステルあるいはポリプロピレンのフィルムで作られ、好ましくは金属被覆されている。
【背景技術】
【０００２】
従来のラテックス製の風船は装飾品であり、エアよりも軽いガスで満たさない限り、その移動範囲は限られていた。その口、つまりエアの入り口は相応に小さく、膨らませるのに圧力を必要とする。
【０００３】
丸い円形風船、つまり金属被覆された円形状の風船も装飾品であり、やはり軽いガスで膨らませない限り、その移動範囲は小さい。ガスの入り口となる口も小さなものである。
【０００４】
これらの風船は、本来、風に乗せて飛ばしたり、キャッチして遊ぶためのものではない。滑空せず、ほとんどバウンドもしない。これらの風船は熱で封じることで作られ、その形状と外観から、装飾品として使用されている。
【発明の開示】
【発明が解決しようとする課題】
【０００５】
既存の風船を改良する目的で、この新規な膨張可能な玩具の開発が考えられた。この玩具は特殊な形状と特徴を有し、それがこの玩具をより魅力的なものにしている。つまり飛行し、滑空し、バウンドするのである。また衝撃、圧力に耐え、水中に沈めることもできる。幾度も繰り返し膨らませることができる。玩具の円錐尖端部を有する円筒形状は宇宙ロケットに似ており、また円錐尖端部の反対側の端部はこの玩具の基部を成し、ぐるぐる巻かれて収納されるので、この部分で玩具はしっかりとバウンドできる。
【０００６】
この膨張可能な玩具の詳細を次の記述と添付の図で説明する。
【課題を解決するための手段】
【０００７】
前記の図を参照すると、膨張可能な玩具を製造する方法は、次の段階で構成される。
ａ）マイラー、ナイロン、ポリエステルあるいはポリプロピレンで作られ、できれば金属被覆されている、またはされていないフィルムの片面を、縦方向で半分に折る（図１）。この時、金属被覆されている面（１）が外側へ、また金属被覆されていない面（２）が内側へ来るようにする。
ｂ）折り目を入れたフィルムの縁に熱を加えて縦方向に封じる。これによって封じられたライン（３）が生まれる。封は、ニクロム線の熱用抵抗体を有するライン密封機を使用して行う。
ｃ）封じられた長方形区間は、再度、縦方向に折り曲げられ（図３）、その端部の一方において斜線上に熱による第２の封（４）を行う。これによって対称的な三角尖端部（５）ができあがる。ここで、金属被覆された面が互いに封じられるわけではないことを考慮しておく必要がある。したがって、それらの面を開くことで、簡単に風船を最終形状にすることができる（図６）。また風船を吹くことで、対称的な三角先端部は円錐形に変化する。この時点で風船は、尖端部（５）、円筒形本体（７）、および膨らますための穴（６）で構成される形状を持つ。
ｄ）注意しながら風船を膨らませ、封じられたライン（３）に粘着テープの細片（８）（幅４８ｍｍ）を、このラインを中心にして貼り付ける。この時、気泡やしわが残らないようにする必要がある。封じられたラインの厚さが１〜２ｍｍであれば、粘着テープの貼り付けは風船の外部で行うのが望ましい。この数値を超える厚さであれば、靴下のように風船を裏返し、封じられた継ぎ目に粘着テープの細片を、ラインを中心にして、また平らに粘着するように貼り付ける。封じられたラインが分厚い、つまりひれ状である場合は（図９）、元の外観にするため再度、靴下のように裏返す。粘着テープの細片は、風船が約３５ｋｇの圧力や重さに耐えるための、また風船を膨らませるために入れた流体が、封じられたライン、つまり継ぎ目から漏れないようにするための補強として取り付けられる。補強粘着テープの細片の貼り付けは、封じられたラインの両側（内側と外側）に施してもよい。図８と９は、玩具の円筒形本体の中間部で横に切断した図であり、封（３）と補強テープ（８）が確認される。
ｅ）風船を膨らませるには、エア入り口の穴（６）から約３０ｃｍ離れた場所からエアを吹き込む。（高さが１．６０ｍ、直径が２４ｃｍの玩具の場合、）風船を縦方向に引き伸ばすことで、１回の吹き込みでエアを満たすことができる。風船には別の流体を満たすこともできる。それから風船を、エアを吹き込んだ部分で手のひらに取り、ぴんと張ったひも（９）になるまでねじる。このようにねじることで、風船に圧力が生まれる。これは、端部（９）をねじって風船が回転すると、風船の長さが短くなるからである。風船本体のこの圧力は、ぴんと張ったひもで風船に密着した半円形を作り、ひもの残りの部分をこの半円形の下に同心形状で収めて、動かなくし、固定された状態にする（９）ために不可欠である。このようにひもを収納することで固い塊ができあがり、これが玩具の基部となり、この部分で風船はしっかりとバウンドすることができる（９）。
【０００８】
このようにして宇宙ロケットの外観を持つ膨張可能な玩具が作られるのであるが、この玩具はその円筒形の本体を特徴とし、その端部に円錐形の尖端部を有し、またもう一方の端部では、そこから本体が膨らまされ、ねじられ、流体に圧力がかかった状態が保たれる。
【０００９】
その流線型ゆえに、この玩具は飛行し、滑空することができ、また基部でしっかりとバウンドできる。さらにこの玩具は約３５ｋｇの重さの圧力に耐えることができる。また何度も膨らませたり流体を抜くこともできる。
【００１０】
本発明は、そのすべての特徴ゆえに娯楽品として産業開発することができる。またその外観や描かれる絵ゆえに装飾品にもなる。
【図面の簡単な説明】
【００１１】
【図１】折り目の入ったフィルム区間の標準的な透視図である。
【図２】玩具本体の標準的な透視図である。
【図３】縦の折り目がもう一本入った玩具本体の標準的な透視図である。
【図４】その端部のひとつに斜めの封線が入った風船を正面から見た標準的な透視図である。
【図５】尖端部となる端部で斜線を切断した風船の標準的な図である。
【図６】その形状を広げて膨らました玩具の標準的な透視図である。
【図７】粘着テープを貼り付けた風船の標準的な透視図である。
【図８】膨張可能な玩具を中間部で横に切断した図である。
【図９】膨張可能な玩具を中間部で横に切断した図である。
【図１０】すでに使用中の膨張可能な玩具の標準的な透視図である。
【図１】
2004520136.tif 000003
【図２】
2004520136.tif 000004
【図３】
2004520136.tif 000005
【図４】
2004520136.tif 000006
【図５】
2004520136.tif 000007
【図６】
2004520136.tif 000008
【図７】
2004520136.tif 000009
【図８】
2004520136.tif 000010
【図９】
2004520136.tif 000011
【図１０】
2004520136.tif 000012
【国際公開パンフレット】
2004520136.tif 000013
2004520136.tif 000014
2004520136.tif 000015
2004520136.tif 000016
2004520136.tif 000017
2004520136.tif 000018
2004520136.tif 000019
2004520136.tif 000020
2004520136.tif 000021
2004520136.tif 000022
2004520136.tif 000023
2004520136.tif 000024
【国際調査報告】
2004520136.tif 000025
2004520136.tif 000026
2004520136.tif 000027
2004520136.tif 000028